(57)【要約】【課題】印刷品質を劣化させることのない電子写真式印刷装置を提供することにある。【解決手段】例えばプラスの直流電圧を印加する転写器１０と例えば回転可能のポリアミド樹脂と導電性ポリアミド樹脂からなるブラシ部材３２を内部に有する清掃部材２０の間に、例えば転写器１０と同極性を有する直流電圧を印加する帯電部材４０と転写器１０と異極性の直流成分を重畳させたＡＣを使用する除電部材４１と例えば複数のＬＥＤを並べた光除電装置４２を設置し、感光体ドラム２１に光源照射部の露光部電位と非露光部電位に電位差が発生しないようにした。【選択図】図１
2009169190.tif 000002
【特許請求の範囲】
【請求項１】
直流電圧を使用する転写部材と、交流を使用する除電部材と、回転可能な清掃部材を使用する電子写真式印刷装置において、前記転写部材と清掃部材の間に直流除電部材と、交流除電部材と、光除電部材を配置したことを特徴とする電子写真式印刷装置。
【請求項２】
前記直流除電部材は、前記転写部材に印加する電圧と同極性の直流電圧を印加することを特徴とする請求項１記載の電子写真式印刷装置。
【請求項３】
前記交流除電部材は、直流成分を重畳した交流電圧を印加することを特徴とする請求項１記載の電子写真式印刷装置。
【請求項４】
前記交流除電部材に印加する直流電圧は前記転写部材とは異極性の直流電圧を重畳したことを特徴とする請求項３記載の電子写真式印刷装置。
【請求項５】
前記光除電部材は複数のＬＥＤを有することを特徴とする請求項１記載の電子写真式印刷装置。
【請求項６】
１枚もしくは複数の用紙がつながっている連続帳票用紙を使用することを特徴とする請求項１乃至５のうちのいずれか１項に記載の電子写真式印刷装置。
【発明の詳細な説明】
【技術分野】
【０００１】
本発明は、プリンタや複写機などの電子写真式印刷装置に関するものである。
【背景技術】
【０００２】
図２は、電子写真式印刷装置の概略構成図である。転写器１０を通過後の電子写真式印刷装置の感光体除電プロセスにおいて、例えばＡＣを使用する除電部材３０と例えば複数のＬＥＤからなる光源を使用する光除電部材３１を通過することにより感光体ドラム２１上に残留しているトナーと感光体ドラム２１を除電した後、残留トナーを例えば回転可能なポリアミド樹脂と導電性ポリアミド樹脂からなるブラシ部材３２を内部に有する清掃装置２０を使い感光体ドラム２１から除去した後、再度帯電させ繰り返し使用する構成であった（例えば、特許文献１参照）。
【０００３】
前記除電装置３０はトナー電荷の低下と感光体ドラム２１上の光源４から画像データに応じて照射された書き込み光に起因する電位と未照射部の電位の差を小さくする作用があり、また光除電部材３１は書き込み光が未照射部の感光体ドラム２１の電位を下げ、書き込み光に起因する電位と未照射部の電位の差を小さくする作用を有している。
【０００４】
【特許文献１】特開２００５−７７６５４号公報
【発明の開示】
【発明が解決しようとする課題】
【０００５】
従来の電子写真式印刷装置を例えば６０インチ／秒の高速で使用して長時間印刷を行うと、感光体ドラム２１の光源４照射部の露光部電位が光疲労により上昇するため、それにより次サイクルで露光部のみの印刷濃度が低下する不具合があり、その結果印刷濃淡むらを発生するという欠点があった。
【０００６】
本発明の目的は、上記した従来技術の欠点を解消し、印刷品質の劣化がない電子写真式印刷装置を提供することにある。
【課題を解決するための手段】
【０００７】
前記目的を達成するため本発明の第１の手段は、直流電圧を使用する転写部材と、交流を使用する除電部材と、回転可能な清掃部材を使用する電子写真式印刷装置において、前記転写部材と清掃部材の間に直流除電部材と、交流除電部材と、光除電部材を配置したことを特徴とするものである。
【０００８】
本発明の第２の手段は前記第１の手段において、前記直流除電部材は、前記転写部材に印加する電圧と同極性の直流電圧を印加することを特徴とするものである。
【０００９】
本発明の第３の手段は前記第１の手段において、前記交流除電部材は、直流成分を重畳した交流電圧を印加することを特徴とするものである。
【００１０】
本発明の第４の手段は前記第３の手段において、前記交流除電部材に印加する直流電圧は前記転写部材とは異極性の直流電圧を重畳したことを特徴とするものである。
【００１１】
本発明の第５の手段は前記第１の手段において、前記光除電部材は複数のＬＥＤを有することを特徴とするものである。
【００１２】
本発明の第６の手段は前記第１ないし第５の手段において、１枚もしくは複数の用紙がつながっている連続帳票用紙を使用することを特徴とするものである。
【発明の効果】
【００１３】
本発明によれば、電子写真式印刷装置の例えば６０インチ／秒の高速で使用して長時間印刷を行っても、感光体ドラムに光源照射部の露光部電位と未露光部電位の電位差が発生しないようにしたため、それによって起こる印刷濃淡むらを防止することが可能となる。
【発明を実施するための最良の形態】
【００１４】
以下、本発明の一実施例を図面を用いて詳細に説明する。はじめに本発明が適用される電子写真方式を用いたレーザビームプリンタの全体構成を図１と２を参照しながら説明する。
【００１５】
図２において、１はレーザビームプリンタであり、そのコントローラ２２からの印刷動作開始信号に基づいて例えば有機物を表面に塗布した感光体ドラム２１が矢印方向に回転を始める。感光体ドラム２１は、レーザビームプリンタ１の印刷速度に相当する速度で回転し、印刷動作が終了するまで回転を続ける。感光体ドラム２１が回転を開始すると、グリッドを有するスコロトロン帯電器２に高電圧が印加され、感光体ドラム２１の表面が例えば均一にマイナスに帯電する。
【００１６】
回転可能な偏向部材３は、レーザビームプリンタ１に電源が投入されると直ちに回転を開始し、電源が投入されている間、高精度に定速回転が維持される。ガスレーザや半導体レーザなどで構成された光源４から出力した例えば２０本の複数の本数を有するマルチレーザビームは、回転可能な偏向部材３で反射し、Ｆθレンズ５を通じて感光体ドラム２１上を走査しながら照射する。
【００１７】
ドットイメージに変換された文字データや図形データがレーザビームのオン／オフ信号としてコントローラ２２からレーザビームプリンタ１に送られると、感光体ドラム２１の表面にレーザビームが照射される部分と照射されない部分とが形成され、いわゆる静電潜像が形成される。この静電潜像を保持した感光体ドラム２１領域が現像装置６と対向する位置に到達すると、静電潜像にトナーが供給され、レーザビームの照射により感光体ドラム２１上の電荷が消失した部分に、例えばマイナスに帯電したトナーが静電気により吸引されて感光体ドラム２１上に未定着現像像（以下、トナー像という）が形成される。
【００１８】
用紙ホッパ１１に収納された記録材７（本実施例では連続紙を例示する）は、用紙搬送トラクタ８によって、感光体ドラム２１上に形成された印刷データのトナー像が転写位置に到達するタイミングと同期させて、感光体ドラム２１と転写器１０の間に向けて搬送される。
【００１９】
感光体ドラム２１上に形成されたトナー像は、記録紙７の背面側にトナー像と逆極性のプラス電圧を印加する転写器１０の作用によって記録紙７上に吸引される。
【００２０】
このようにして、用紙ホッパ１１に装填されていた記録紙７は、用紙搬送トラクタ８、転写器１０、用紙搬送トラクタ９およびバッファプレート２４を経て定着装置１２に搬送される。定着装置１２に到達した記録紙７は、プレヒータ１３で予熱された後、ヒータランプ２５を備えた加熱ローラ１４と加圧ローラ１５からなる一対の定着ローラによって形成されるニップ部によって加熱加圧されながら挟持搬送され、トナー像が記録紙７に溶融定着される。溶融定着後加熱ローラ１４に残ったトナーは例えばポリテトラフルオロエチレンからなる清掃部材２６で加熱ローラ１４から除去清掃される。またここで２３は印刷動作中のレーザビームプリンタ１の状態に基づく情報を表示したりする表示画面である。
【００２１】
加熱ローラ１４と加圧ローラ１５によって送り出されてきた記録紙７は、用紙送出しローラ１６によってスタッカテーブル１９側へ送り出されるとともに、スイングフィン１７の揺動動作によってミシン目に沿って交互に折り分けられ、さらに、回転するパドル１８で折りたたみ状態が整えられながら、スタッカテーブル１９上に積み重ねられて行く。
【００２２】
次に、図１を用いて本発明の詳細構成を説明する。
【００２３】
図１に示すように本発明では、プラス電圧を印加した転写器１０を通過した感光体ドラム２１は書き込み光が照射された部分のみプラス帯電であった。次にプラス電圧を印加した帯電部材４０で、感光体ドラムの書き込み光が照射されていない部分の電位もプラス帯電にした後、次にマイナス電圧の直流を重畳したＡＣ電圧を印加した除電部材４１を用いて感光体ドラム２１が光に感度を有するマイナス帯電にし、その次にＬＥＤを複数個並べた光除電部材４２で感光体電位を均一にした後、回転可能な例えばポリアミド樹脂と導電性ポリアミド樹脂からなるブラシ部材３２を内部に有する清掃部材２０を配置し、感光体ドラム２１上のトナー等を除去できるようにすることにより次の印刷動作に備えられる。ここで光除電部材４２の光強度は感光体ドラムの電位を１／２倍にする半減露光量の３倍〜２０倍とし、かつ光源４と同一波長を発光成分として含むものとした。
【００２４】
以上のようにすることにより長時間印刷を行っても感光体ドラム２１に光源４照射部の露光部電位と非露光部の電位差が発生しなくなるため、それによって起こる印刷濃淡むらを防止することが可能となる。
【図面の簡単な説明】
【００２５】
【図１】本発明の一実施例に係る感光体周囲部材の位置関係を示す説明図である。
【図２】電子写真式印刷装置の概略構成図である。
【符号の説明】
【００２６】
１はレーザビームプリンタ、２はスコロトロン帯電器、３は偏向部材、４は光源、５はＦθレンズ、６は現像装置、７は記録材、８は用紙搬送トラクタ、９は用紙搬送トラクタ、１０は転写器、１１は用紙ホッパ、１２は定着装置、１３はプレヒータ、１４は加熱ローラ、１５は加圧ローラ、１６は用紙搬送ローラ、１７はスイングフィン、１８はパドル、１９はスタッカテーブル、２０は清掃装置、２１は感光体ドラム、２２はコントローラ、２３は表示装置、２５はヒータランプ、２６は清掃部材、３０は除電装置、３１は光除電部材、３２はブラシ部材、４０は帯電部材、４１は除電部材、４２は光除電装置である。
【図１】
2009169190.tif 000003
【図２】
2009169190.tif 000004